(57)【特許請求の範囲】
【請求項１】
複数の台枠を、これに形成した複数の連結部に立設した支柱を介して多段に組み立てて、これら台枠間に収納箱を引出可能に挿入するようにした組立収納ケースにおいて、
前記各連結部を、上下に貫通する筒状のものであって、段部の上下にて区画された嵌合部及び被嵌合部と、この連結部の嵌合部に形成した弾性片と、この弾性片の外側に設けた係合爪と、前記被嵌合部の弾性片の直下に位置する部分に形成されて、前記支柱側の係合爪が係合される係合穴とを備えたものとし、
さらに、前記各連結部の被嵌合部の内側に突出されて、二つの前記各台枠をその連結部にて上下に積み重ねる際、当該被嵌合部内に嵌合された他の台枠側の前記係合爪を、当該被嵌合部の前記係合穴に係合しないように規制するストッパを一体的に形成したことを特徴とする台枠を備えた組立収納ケース。
【請求項２】
前記各連結部を、前記被嵌合部の前記係合穴の下方に位置する内面に形成されて、他の台枠側の係合爪を有した弾性片を収納する上下方向の収納凹所を備えたものとして形成したことを特徴とする請求項１に記載の台枠を備えた組立収納ケース。
【請求項３】
前記各支柱を、段部の上下にて、前記連結部側の被嵌合部に嵌合される嵌合部と、前記連結部側の嵌合部が嵌合される被嵌合部とに区画したものとするとともに、この支柱の前記嵌合部に形成した弾性片と、この弾性片の外側に設けた係合爪と、前記被嵌合部の下側に形成されて他の台枠側の連結部における係合爪が係合される係合穴とを備えたものとしたことを特徴とする請求項１または請求項２に記載の台枠を備えた組立収納ケース。
【発明の詳細な説明】
【０００１】
【産業上の利用分野】
本発明は、不使用時あるいは販売時等には分解してコンパクト化され、使用時には組立てられて収納箱を多段に配置する組立収納ケースに関するものである。
【０００２】
【従来の技術】
この種の組立収納ケースは、使用時の収納スペースを十分にするとともに、不使用時等には分解してコンパクト化しなければならないものであるから、使用者である一般需要者がその分解・組立を容易に行えるような組立構造を有していなければならないものである。
【０００３】
このような組立収納ケースの従来例としては、例えば実公昭６０−６２６７号公報に示されたような「衣裳ケースの外枠」がある。この外枠は、
「水平部と側壁部材との結合を係合突起部と係合凹部との係合によって行ない且つ両者の離脱を外側方から簡便にできるように構成した衣裳ケースの外枠を提供することを目的と」してなされたものであり、
「上下水平部材間に左右側壁部材を結合した収納箱を挿抜自在にした衣裳ケースの合成樹脂製外枠において、前記各側壁部材の上下面には複数の係合突部が一体形成され、前記各水平部材の側壁接合部分には前記係合突部を係合可能な係合凹部が一体成形されており、前記係合突部には突起とこれに隣接した撓み変形可能な係止片とが形成され、前記係合凹部には突起及び係止片が挿抜可能な凹所と挿入された係止片と係合してその抜止めをする係止部とが形成され、且つ前記水平部材の外側面には係止片を撓み変形させて係止部から離脱させる離脱具を挿入可能な孔が形成されていること」
を特徴とするものである。
【０００４】
そして、この実公昭６０−６２６７号公報に示された外枠によれば、上記公報中に記載されているように、
「外枠は水平部材の係合凹部と側壁部材の上下面に形成した係合突部との係合によって組立てられるので、締結金具が不要であり組立てが極めて簡便であり、係合凹部及び係合突部は夫々水平部材及び側壁部材と一体成形されているので、各部材は製作が容易であり、また、係合突部の係止片は撓み変形可能であると共に係合凹部の係止部に係脱自在であり、且つ係止片の離脱を外枠の外面側方から離脱具で行ない得るので、外枠の分解が極めて容易である」という効果を有しているものの、次のような改良しなければならない点も含んでいるものである。
【０００５】
すなわち、上記公報に示された外枠は、上下水平部材間に結合される左右側壁部材を必要とするものであり、かつ各側壁部材は、上記公報の第２頁左欄の第８行目以下に記載されているように、
「左右側枠段部２１、嵌合部２２は同一形状であり、水平枠連結部２０の側辺１１上面１２に面接触する下辺１９と、側辺１１の下面１４に面接触する上辺２０とを有し、下面１４と上辺２０とには水平枠連結部２０と側枠段部２１、嵌合部２２との前後位置規制を行なう凸段部２２と凹段部２２が形成されており、最下段の水平枠連結部２０の凸段部２１は衣裳ケース組立収納ケース１００全体の脚部となる。
【０００６】
各側枠段部２１、嵌合部２２の下辺１９には係合凹部１３に挿入係合可能な係合突部２３が、上辺２０には係合凹部１５に挿入係合可能な係合突部２４が夫々形成されており、前後２個の各係合突部２３、２４は左右対称形状である」ものとしなければならないものである。従って、この従来の「衣裳ケースの外枠」においては、その製造を複雑な型を使用しなければならないことになって、製造コストが係るものとなるだけでなく、形状が複雑なものであることから、使用者である一般需要者がその分解・組立てを行うことを困難にしているものである。
【０００７】
換言すれば、この種の組立収納ケースは、次のような諸点を考慮して形成されなければならない。
【０００８】
（１）合成樹脂材料を使用して型成形する場合の型の構造を簡略化して、組立収納ケース全体のコスト低減を図らなければならない。
【０００９】
（２）組立てた時の剛性が十分なものであることは当然として、その組立自体が一般需要者が説明書を熟読しなくても行えるような簡単な構造のものでなければならい。
【００１０】
（３）販売時、そのための運搬時、あるいは不使用時には、その全体を分解してコンパクト化しなければならないが、そのコンパクト化をより一層達成できるようにしなければならない。
【００１１】
（４）コンパクト化した時に、各部材が変形するものであってはならないし、コンパクト化したがために各部材間が結合されてはならない。
【００１２】
そこで、本発明者等は、この種の組立収納ケースをより安価に提供することができ、しかも不使用時のコンパクト化をさらに達成するにはどうしたらよいかについて種々検討を重ねてきた結果、本発明を完成したのである。
【００１３】
【発明が解決しようとする課題】
本発明は、以上の経緯に基づいてなされたもので、その解決しようとする課題は、この種組立収納ケースのさらなるコストダウンと、コンパクト化である。
【００１４】
そして、本発明の目的とするところは、各部材間の組立てを容易に行うことができて、後の分解・離間が容易に行えるようにしながらコンパクト化をより一層達成することができ、しかもより一層のコストダウンを図ることができる組立収納ケースを提供することにある。
【００１５】
【課題を解決するための手段】
以上の課題を解決するために、まず請求項１に係る発明の採った手段は、実施例において使用する符号を付して説明すると、
「複数の台枠１０を、これに形成した複数の連結部２０に立設した支柱３０を介して多段に組み立てて、これら台枠１０間に収納箱４０を引出可能に挿入するようにした組立収納ケース１００において、
各連結部２０を、上下に貫通する筒状のものであって、段部２１の上下にて区画された嵌合部２２及び被嵌合部２３と、この連結部２０の嵌合部２２に形成した弾性片２４と、この弾性片２４の外側に設けた係合爪２５と、被嵌合部２３の弾性片２４の直下に位置する部分に形成されて、支柱３０側の係合爪３５が係合される係合穴２６とを備えたものとし、
さらに、各連結部２０の被嵌合部２３の内側に突出されて、二つの各台枠１０をその連結部２０にて上下に積み重ねる際、当該被嵌合部２３内に嵌合された他の台枠１０側の係合爪３５を、当該被嵌合部２３の係合穴２６に係合しないように規制するストッパ２７を一体的に形成したことを特徴とする組立収納ケース１００」
である。
【００１６】
すなわち、この請求項１に係る組立収納ケース１００は、特に分解されたときの各台枠１０を、より一層コンパクトに積み重ねることができようにするとともに、これら各連結部２０の被嵌合部２３の内側にストッパ２７を一体的に突出形成して、このストッパ２７により、二つの各台枠１０をその連結部２０にて上下に積み重ねる際、当該被嵌合部２３内に嵌合された他の台枠１０側の係合爪３５を、当該被嵌合部２３の係合穴２６に係合しないように規制することができて、台枠１０間の固着がなされないようし得るようにしたものである。
【００１７】
そのために、この請求項１に係る組立収納ケース１００においては、まず、各台枠１０に立設される各支柱３０のための連結部２０に上述した構成を採用することによって、各台枠１０の連結部２０に他の台枠１０の連結部２０がその各嵌合部２２及び被嵌合部２３によって嵌合し得るようにして、各台枠１０をコンパクトにまとめることができるようにしたものである。
【００１８】
また、各連結部２０は、これに各支柱３０を脱着自在に取付けるための嵌合部２２、及び係合爪２５を有した弾性片２４を設けたものであるため、支柱３０側を固定するはずの各係合爪２５によって、他の台枠１０側の被嵌合部２３が固定してしまわないようにするためのストッパ２７を、各連結部２０が備えたものとしたものである。換言すれば、この組立収納ケース１００においては、各連結部２０がストッパ２７を備えたものとしたことによって、各連結部２０同志が完全に嵌合しないようにしたもので、各台枠１０を少し浮いた状態で積み重ねて保管し得、後の分解・離間が容易に行えるようにしたものなのである。
【００１９】
なお、この請求項１に係る組立収納ケース１００では、各支柱３０の構造は特に限定されるものではなく、各連結部２０の嵌合部２２及ぶ被嵌合部２３を利用して立設・固定される形状のものであればどのようなものであってもよい。
【００２０】
請求項２に係る台枠を備えた組立収納ケースは、上記目的を達成するために、上記請求項１の台枠を備えた組立収納ケースについて、特に、各連結部２０を、被嵌合部２３の係合穴２６の下方に位置する内面に形成されて、他の台枠１０側の係合爪２５を有した弾性片２４を収納する上下方向の収納凹所２８を備えたものとして形成したことにその構成上の特徴があるものである。
【００２１】
すなわち、この請求項２に係る台枠を備えた組立収納ケースは、各台枠１０をその嵌合部２２及び被嵌合部２３を利用して積み重ねた際に、連結部２０の被嵌合部２３の下方に形成した弾性片２４がその弾性を無くさないようにしたものであり、他の台枠１０側の弾性片２４を自然復帰状態で収納する収納凹所２８を被嵌合部２３の内面であって係合穴２６の下方に形成したものである。
【００２２】
一方、請求項３に係る発明の採った手段は、実施例において使用する符号を付して説明すると、上記請求項１または請求項２に係る台枠を備えた組立収納ケースについて、その各支柱３０を、段部３１の上下にて、連結部２０側の被嵌合部２３に嵌合される嵌合部３２と、連結部２０側の嵌合部２２が嵌合される被嵌合部３３とに区画したものとするとともに、この支柱３０の嵌合部３２に形成した弾性片３４と、この弾性片３４の外側に設けた係合爪３５と、被嵌合部３３の下側に形成されて他の台枠１０側の連結部２０における係合爪２５が係合される係合穴３６とを備えたものとしたものである。
【００２３】
すなわち、この請求項３に係る組立収納ケース１００においては、その各支柱３０の形状を、連結部２０側のそれと略同じようにしたものであり、これにより、各台枠１０の支柱３０による組立てを容易に行えるようにしたものである。換言すれば、これら各支柱３０による台枠１０の積み上げを、不使用時における各台枠１０の連結部２０を利用した積み重ねと同様な方法によって行えるようにしたものであるが、この支柱３０を使用する場合には、その嵌合部３２に形成してある弾性片３４の係合爪３５が連結部２０側の係合穴２６内に係合されるようにするとともに、その被嵌合部３３に形成してある係合穴３６内に連結部２０側の弾性片２４の係合爪２５が係合するようにしたものである。
【００２４】
【発明の作用】
以上のように達成した各請求項に係る発明の作用を以下に説明するが、後述の実施例に係る組立収納ケース１００は、これら各請求項に係る全ての発明を実質的に含むものであるから、この実施例に係る組立収納ケース１００の作用説明をすることにより、各請求項に係る発明の作用説明とする。
【００２５】
まず、各請求項１係る台枠を備えた組立収納ケースを採用した組立収納ケース１００は、図１〜図４に示した状態のものに組み立てられるものであるが、このような組立収納ケース１００とするために、図５及び図６に示したような、４隅に連結部２０を一体成形した複数（本実施例では５枚）の台枠１０間に、図９及び図１０に示したような支柱３０が立設固定されるものである。
【００２６】
なお、最下端となる台枠１０には、図１〜図４に示したように、当該組立収納ケース１００全体の移動を容易にするためのキャスター１２が設けられるものであり、最上端となる台枠１０の各連結部２０は、嵌合部２２を有さないものとして上方に突出する部分をなくしたものが採用してあり、これにより、最上端の台枠１０は所謂「天板」としたものである。勿論、天板以外の各台枠１０上には、図４及び図５に示したように、収納箱４０を収納するためのスライド凹所１１が形成してあり、このスライド凹所１１を利用することにより、各収納箱４０が引出し自在としてあるものである。
【００２７】
このように、各支柱３０によって台枠１０を組み立てた組立収納ケース１００においては、図４の（イ）及び図１１に示すように、各連結部２０の嵌合部２２に対して各支柱３０の被嵌合部３３が嵌合されているものであり、連結部２０側の弾性片２４外面に設けてある係合爪２５は、支柱３０側の被嵌合部３３に設けてある係合穴３６内に係合した状態となっていて、各支柱３０の台枠１０側に対する立設固定が確実になされているのである。
【００２８】
実施例に係る各支柱３０においては、図５及び図１０の比較から理解できるように、その断面形状を連結部２０のそれと同様に小判型にするとともに、その嵌合部３２が連結部２０側の被嵌合部２３内に嵌入し得るものとしてあり、かつその被嵌合部３３が連結部２０側の嵌合部２２に対して外嵌合し得るものとしてあるため、この支柱３０の連結部２０に対する嵌合がその方向性と位置決めとを同時に満足しながら行えるものとなっているのである。そして、各連結部２０側の係合爪２５は、両側にスリットまたは薄肉部分２４ａを形成することにより自由に曲がる弾性片２４の外面に形成してあり、しかもその図１１の図示上端面は傾斜したものとしてあるから、連結部２０側の嵌合部２２を当該支柱３０の被嵌合部３３内に差し込んでこれを固定する際には、連結部２０側の弾性片２４が内方に撓み、その後に弾性片２４が自然状態に復帰して当該弾性片２４の係合爪２５が支柱３０側の係合穴３６内に自動的に係合するから、支柱３０の連結部２０に対する立設・固定作業は容易に行えるのである。
【００２９】
一方、この支柱３０の嵌合部３２を連結部２０側の被嵌合部２３内に嵌合してその立設・固定を行う場合も、上述したのと同様に、その作業を容易に行えるものである。すなわち、支柱３０側の各嵌合部３２に、スリットまたは薄肉部分３４ａによって自由に曲がる弾性片３４が形成してあって、この弾性片３４の外面に係合爪３５が形成してあるから、この支柱３０の嵌合部３２を連結部２０側の被嵌合部２３内に差し込んだとき、弾性片３４が内方に撓んで自然状態に復帰することにより、当該支柱３０における嵌合部３２の連結部２０側に設けてある被嵌合部２３内への嵌入と、各支柱３０側の係合爪３５の連結部２０側の係合穴２６に対する係合が簡単に行えるのである。
【００３０】
なお、各支柱３０の嵌合部３２を連結部２０側の被嵌合部２３内に嵌入して、これを固定したとき、図１１に示したように、支柱３０側の嵌合部３２の上端面が連結部２０内に設けてある各ストッパ２７の下端面より下方に位置しているから、上述した支柱３０側の係合爪３５の連結部２０側の係合穴２６に対する係合は、ストッパ２７が存在していても何等の支障もなく行えるものである。
【００３１】
勿論、各支柱３０の下端面は、連結部２０側の段部２１上に当接しており、同様に、各連結部２０の下端面は支柱３０側の段部３１上に当接しているから、各支柱３０と連結部２０との位置決めは確実になされていて、各支柱３０を介して加わる力は各台枠１０の連結部２０によって確実に受け止められることになるのである。
【００３２】
さて、以上のように組み立てられる組立収納ケース１００は、これを販売したり、不使用時において保管しておく場合等において、各部材を分解してコンパクトにまとめておかなければならないが、その場合には各連結部２０側の係合穴２６から露出している支柱３０側の係合爪３５、及び各支柱３０側の係合穴３６から露出している連結部２０側の係合爪２５を指で押し込めば、各弾性片２４及び３４が撓んでそれぞれの係合が解かれるから、各支柱３０の台枠１０からの取り外しは容易に行える。そして、各収納箱４０をそれぞれ積み重ねて容積を約１／４とするとともに、各台枠１０を図６の（イ）に示すように、積み重ね、分解された多数の支柱３０は収納箱４０内か積み重ねた台枠１０のスライド凹所１１上に配置すれば、組立収納ケース１００全体の分解後の容積は非常に小さなものとなって、そのコンパクト化が図られるのである。
【００３３】
以上のように、各台枠１０を積み重ねてコンパクト化する場合の重要作用が、図７及び図８に示してある。すなわち、この場合には、一つの台枠１０の連結部２０に対して、その嵌合部２２が他の台枠１０の被嵌合部２３内に嵌合されることになるのであるが、この際には、
（イ）一方の台枠１０側の係合爪２５が他方の台枠１０の係合穴２６内に係止されない。
（ロ）一方の台枠１０側の弾性片２４が他方の台枠１０の収納凹所２８内に収納されて、弾性片２４はその自然状態におかれることになり、その弾性力に変化を生じることはない。
といった作用が発揮されるのである。
【００３４】
（イ）の作用は、主として請求項１に係る台枠を備えた組立収納ケース１００するものであるが、各連結部２０の被嵌合部２３内には、図７及び図８に示したように、ストッパ２７が下方に向けて突出形成してあるから、この被嵌合部２３内に挿入された他の台枠１０における嵌合部２２がこのストッパ２７の下面に当接して、嵌合部２２のそれ以上の嵌入がなし得ないものとなっているために発揮されるものである。すなわち、図７及び図８に示したように、一つの台枠１０の連結部２０を構成している嵌合部２２に、他の台枠１０の被嵌合部２３が嵌合されたとしても、当該他の台枠１０はその連結部２０の内側に形成してあるストッパ２７によって、図示した以上の嵌合がなされることがなく、一つの台枠１０側の嵌合部２２に形成してある係合爪２５が、他方の台枠１０側の係合穴２６内に係合することはないのである。従って、両台枠１０の各連結部２０は、互いの距離を短くした状態で互いに嵌合されるのであるが、そのときには互いに係合するものではないので、その引き離しを容易に行えるものとなっているのである。
【００３５】
また、（ロ）の作用は、請求項２に係る台枠を備えた組立収納ケース１００するものであるが、それは主として図７に明示してある。すなわち、各連結部２０の嵌合部２２に形成した弾性片２４は、他の台枠１０の被嵌合部２３内に嵌合されたとき、もし収納凹所２８がなければ、その外面側に係合爪２５が突出形成してあることにより内方に撓んだままの状態のものにされることになるのである。しかしながら、本発明の組立収納ケース１００では、弾性片２４の撓むはずの量を逃がすための収納凹所２８が被嵌合部２３の内面に形成してあるから、各弾性片２４はその自然状態のままとなり、特に支柱３０側の係合穴３６内に係合爪２５を係止させるための弾性力を維持し得るもの、換言すれば弾性片２４の弾性力変化を来さないようにしているのである。
【００３６】
なお、実施例のストッパ２７は、図７に示したように、各台枠１０を積み重ねたときに、連結部２０における嵌合部２２の被嵌合部２３に対する必要以上の嵌入を阻止していると同時に、図１１に示したように、各連結部２０の嵌合部２２に対する支柱３０側の被嵌合部３３の嵌合を行えるようにして、その際の支柱３０側の係合穴３６内に対する連結部２０側の係合爪２５の係合を確実に行えるようにしているものである。
【００３７】
また、各連結部２０側の弾性片２４、及び支柱３０側の弾性片３４は、その両側にスリットまたは薄肉部分２４ａ・３４ａを形成することによってその弾性を確保したものであるが、これらの弾性片２４・３４の両側に薄肉部分２４ａ・３４ａを形成した場合には、この薄肉部分２４ａ・３４ａが他の部分に比して十分な弾力性及び伸長性を有するものとなるである。このことから、これらの弾性片２４・３４の弾力性を薄肉部分２４ａ・３４ａによって確保するようにした場合には、これらの弾性片２４・３４の自然状態への復帰も確実になされることになるのである。
【００３８】
【実施例】
次に、各請求項に係る発明を、図面に示した実施例について説明するが、前述の作用の項でも述べたように、実施例を示す組立収納ケース１００は各請求項に係る発明を全て含むものであるので、以下ではこの実施例に係る組立収納ケース１００を中心にした説明を行う。
【００３９】
この組立収納ケース１００は、図１〜図４に示したように、図５及び図６に示した各台枠１０間に、これに一体的に形成した各連結部２０にて、図９及び図１０に示したように支柱３０を立設固定することにより構成されるものであり、これら台枠１０及び支柱３０によって形成された空間内には収納箱４０が引き出し自在に収納されるものである。これら各収納箱４０の出し入れを安定した状態で行えるようにするために、各台枠１０の上面には、図４及び図５に示したようにスライド凹所１１が形成してあるのである。
【００４０】
なお、前述の作用の項でも述べたように、最下端に位置する台枠１０の下面にはキャスター１２が形成してあり、最上端に位置する台枠１０は所謂天板としたものであって、この天板を構成している台枠１０の連結部２０においては、不要な嵌合部２２を形成しないで上面がフラットになるようにしてある。
【００４１】
図１〜図４に示した組立収納ケース１００においては、完全な状態の連結部２０を４隅に有した４枚の台枠１０と、嵌合部２２を有さない連結部２０を備えた一枚の台枠１０と、これらの間に立設・固定された合計１６本の支柱３０とを使用したものであり、合計４段の収納箱４０を出入自在に収納して構成したものである。勿論、収納箱４０の段数はこれ以外にも自由に変えられるものであり、その場合には、台枠１０や支柱３０等の数を調整して提供されるものであることは言うまでもない。
【００４２】
さて、本発明の組立収納ケース１００を構成している台枠１０であるが、これらの複数を、図６の（イ）に示したように積み重ねてコンパクトにするための連結部２０が、その略角部となる４つの部分に、各台枠１０が形成する平面に対して垂直となるように一体的に形成してある。本実施例における連結部２０を有した台枠１０は、その全体を合成樹脂材料により例えば射出成形したものである。なお、図５に示した台枠１０においては、図示中央の一点鎖線を中心にして、図示上側は平面を、図示下側は底面を示すようにしてあり、この台枠１０の底面側に形成したリブによってその剛性を確保するようにしているものである。
【００４３】
各連結部２０は、特に図７及び図８に詳示したように、上下に貫通する筒状のものであって、段部２１の上下にて嵌合部２２と、被嵌合部２３とに区画したものである。そして、この連結部２０の嵌合部２２に、スリットまたは薄肉部分２４ａを介して形成した弾性片２４と、この弾性片２４の外側に設けた係合爪２５と、被嵌合部２３の弾性片２４の直下に位置する部分に形成されて、支柱３０側の係合爪３５が係合される係合穴２６とを備えたものとしたものである。
【００４４】
すなわち、各連結部２０は、その嵌合部２２に他の連結部２０の被嵌合部２３を嵌合し得るようにしたものであり、かつ一方の連結部２０側の嵌合部２２上に他方の連結部２０側の被嵌合部２３内に形成したストッパ２７の下面が当接することにより、各台枠１０間の位置決めを行うようにしたものである。
【００４５】
なお、各台枠１０の積み重ねを、図６の（イ）に示したように、各連結部２０にて行う場合には、嵌合部２２と被嵌合部２３とを区画している段部２１は積極的に利用されるものではないが、この段部２１は、嵌合部２２と被嵌合部２３とを区画しながら台枠１０を一体成形するに際して重要なものである。すなわち、各連結部２０に段部２１が存在していることにより、その成形型からの当該台枠１０の型抜きを容易に行えるようにしているものであり、かつ型の形成そのものをも容易にしているものである。また、本実施例における各連結部２０の嵌合部２２には、その外面に多数の突条が上下方向に形成してあり、これらの突条によって、当該嵌合部２２を他の台枠１０側の被嵌合部２３内に嵌合したときの抵抗を小さくして位置決めを行うようにするとともに、当該嵌合部２２の剛性の確保をも図っているものである。この嵌合部２２における突条と同様なものは、後述する支柱３０側の嵌合部３２にも形成してあるものである。
【００４６】
各弾性片２４は、図７及び図８に示したように、この嵌合部２２の一部に縦方向のスリットまたは薄肉部分２４ａを二本形成するとともに、各スリットまたは薄肉部分２４ａの上端を開放したものとすることにより、嵌合部２２を構成している材料自身が有する物性によって弾力性を有したものとしたものである。すなわち、各弾性片２４は、これが形成してある嵌合部２２を他の台枠１０側の被嵌合部２３内に挿入する際にのみ内方に向けて弾力的に撓むものであり、その上端外面一体的に形成し係合爪２５が支柱３０側の係合穴３６内に係止されたり、次に述べる連結部２０内の収納凹所２８内に収納されたりした場合には、図７に示したような自然の状態に復帰するものである。
【００４７】
図６の（イ）及び図７で示した複数の台枠１０の積み重ね状態においては全く利用されないが、各連結部２０の被嵌合部２３には係合穴２６が形成してある。これら各係合穴２６は、後述する各支柱３０の嵌合部３２を、当該連結部２０の被嵌合部２３内に嵌合したときに、支柱３０側の弾性片３４に設けた係合爪３５が係止されるものであり、その上端は、図７に示したようにストッパ２７の下端面以下の部分に位置するようにしてある。
【００４８】
ストッパ２７は、図７に示したように、複数の台枠１０を各連結部２０を利用して積み重ねた場合に、一方の台枠１０に形成してある係合爪２５が他方の台枠１０の係合穴２６内に係合しないようにするためのものであることは、前述した通りである。なお、実施例におけるストッパ２７は、その上下方向の長さを、連結部２０側の被嵌合部２３内に嵌合された支柱３０側の嵌合部３２の上端面から後退し得て、かつ二つの各台枠１０をその連結部２０にて上下に積み重ねる際、下側台枠１０における係合爪２５の下端を上側台枠１０における係合穴２６の下端に一致させたときの下側台枠１０における嵌合部２２の上端面より、上側台枠１０側のストッパ２７の下端が突出し得るものとしてある。
【００４９】
そして、各連結部２０の被嵌合部２３内に収納凹所２８が形成してあるのであるが、この収納凹所２８は、図７及び図８に示したように、当該連結部２０の被嵌合部２３内に他の台枠１０の嵌合部２２を挿入する際に、他の台枠１０側の弾性片２４が不必要に撓まなくてもよいようにするために、図示下方を開放した上下方向のものとしてある。なお、図７に示した収納凹所２８においては、その上端が係合爪２５の外形に対応するような形状のものに形成することにより、支柱３０側の係合爪３５が係合穴２６に確実に係止できるようにしているとともに、型成形そのものを容易に行えるようにしているものである。
【００５０】
次に、以上のように構成した各台枠１０を、その上に収納箱４０が収納できるように組立てる際に使用される支柱３０について説明するが、本実施例における支柱３０は、図９及び図１０に示したような形状のものとしてある。すなわち、この支柱３０においても、図９に示したように上下方向の貫通孔を有した筒状のものとしてあり、台枠１０側の各嵌合部２２と略同じ形状と大きさを有する嵌合部３２を有しているものである。この嵌合部３２の段部３１より下側は、収納箱４０の高さに応じた長尺な被嵌合部３３としてあり、この被嵌合部３３の下端には台枠１０側の係合爪２５が係合される係合穴３６が形成してある。
【００５１】
この支柱３０における嵌合部３２の一側面には、図９及び図１１に示したように、各上端が開放された一対のスリットまたは薄肉部分３４ａによってこれらの間に位置する弾性片３４が形成してあり、この弾性片３４の上端外面には、台枠１０側の係合穴２６に係合する係合爪３５が一体的に形成してある。また、被嵌合部３３の下端であって上記係合爪３５と同じ側の面には、各台枠１０側の係合爪２５が係合する係合穴３６が形成してあるのである。
【００５２】
要するに、これら各支柱３０は、被嵌合部３３の長さが収納箱４０に対応された分だけ長くしてある他は、各台枠１０側に一体成形してある各連結部２０と略同様な形状を有したものとなっているのである。そして、図７と図１１の比較から理解できるように、支柱３０側の嵌合部３２の頂面からその下方の係合爪３５までに到る長さは、各連結部２０側の嵌合部２２の頂面からその下方の係合爪２５までに到る長さよりも短くなるようにしてあり、これにより、当該支柱３０の嵌合部３２を連結部２０側の被嵌合部２３内に嵌入したとき、連結部２０内のストッパ２７に邪魔をされることなく、当該支柱３０の連結部２０に対する立設・固定を行えるようにしてあるものなのである。
【００５３】
【発明の効果】
以上詳述した通り、まず請求項１に係る組立収納ケース１００においては、各連結部２０を、上下に貫通する筒状のものであって、段部２１の上下にて区画された嵌合部２２及び被嵌合部２３と、この連結部２０の嵌合部２２に形成した弾性片２４と、この弾性片２４の外側に設けた係合爪２５と、被嵌合部２３の弾性片２４の直下に位置する部分に形成されて、支柱３０側の係合爪３５が係合される係合穴２６とを備えたものとし、各連結部２０の被嵌合部２３の内側に突出されて、二つの各台枠１０をその連結部２０にて上下に積み重ねる際、当該被嵌合部２３内に嵌合された他の台枠１０側の係合爪３５を、当該被嵌合部２３の係合穴２６に係合しないように規制するストッパ２７を一体的に形成したことにその構成上の特徴があり、これにより各部材間の組立てを容易に行うことができて、後の分解・離間が容易に行えるようにしながらコンパクト化でき、しかも一層のコストダウンを図ることができる組立収納ケース１００を提供することができるのである。
【００５４】
すなわち、本発明の組立収納ケース１００によれば、
（１）組立収納ケース１００を構成するために、二種類（天板とそれ以外）の台枠１０と、これらを連結するための同一形状の支柱３０と、台枠１０上に収納される収納箱４０との合計４種類の型を形成すればよいものであり、完成された台枠１０の各連結部２０の検査も、各連結部２０の形状が同一であることから容易に行うことができるのであり、結果として組立収納ケース１００全体の製造コストを低減することができる。
【００５５】
（２）各台枠１０における連結部２０は全く同一の形状であるため、当該組立収納ケース１００を一般需要者が組み立てるにあたって容易に組立方法の理解ができるし、その分解も簡単に行うことができる。
【００５６】
（３）各台枠１０は、その連結部２０を利用することにより、互いに積み重ねることができ、しかもその時には各嵌合部２２を被嵌合部２３内に嵌合することができるから、全体のコンパクト化をより一層達成することができる。
【００５７】
（４）各連結部２０内に他の台枠１０の連結部２０を嵌合したときストッパ２７により一定以上の嵌合が阻止されるため、両者間の係合爪２５が係合穴２６内に係合してしまうことがなく、組立のための各台枠１０の離間を容易に行うことができる。
【００５８】
（５）各支柱３０の連結部２０に対する立設及び固定を確実に行うことができて、しかもコンパクト化のために、各台枠１０をその各連結部２０を利用して積み重ねたときに、連結部２０側の係合爪２５が他の台枠１０側の係合穴２６内に係合しないようにすることができて、積み重ねた各台枠１０の分離を容易に行うことができる。
といった効果を発揮することができるのである。
【００５９】
また、請求項２に係る組立収納ケース１００においては、各連結部２０を、被嵌合部２３の係合穴２６の下方に位置する内面に形成されて、他の台枠１０側の係合爪２５を有した弾性片２４を収納する上下方向の収納凹所２８を備えたものとして形成したことにその特徴があり、これにより、上記請求項１に係る発明と同様の効果を発揮することができる他、
（６）各台枠１０をその連結部２０にて積み重ねたときに、支柱３０を立設・固定するために重要な弾性片２４の弾性力を、図６に示したようなコンパクト化を行っても長期にわたって維持させることができる。
といった効果を発揮することができるのである。
【００６０】
さらに、請求項３に係る組立収納ケース１００においては、各支柱３０を、段部３１の上下にて、連結部２０側の被嵌合部２３に嵌合される嵌合部３２と、連結部２０側の嵌合部２２が嵌合される被嵌合部３３とに区画したものとするとともに、この支柱３０の嵌合部３２にスリットまたは薄肉部分３４ａを介して形成した弾性片３４と、この弾性片３４の外側に設けた係合爪３５と、被嵌合部３３の下端に形成されて他の台枠１０側の連結部２０における係合爪２５が係合される係合穴３６とを備えたものとしたことにその構成上の特徴があり、これにより上述した効果を発揮することができて、しかも、
（７）各台枠１０間の離隔及び固定を確実に行うことができることは当然として、その組立作業を簡単かつ容易に行うことができる。
といった効果をも発揮することができるのである。
【図面の簡単な説明】
【図１】本発明を採用した組立収納ケースの全体斜視図である。
【図２】同組立収納ケースの正面図（イ）及び背面図（ロ）である。
【図３】同右側面図である。
【図４】図３の１−１線（イ）及び２−２線（ロ）に沿ってみた各断面図である。
【図５】同組立収納ケースを構成している台枠の、下半分を底面として示した平面図である。
【図６】同台枠の側面図（イ）及び縦断面図（ロ）である。
【図７】二つの台枠を、その各連結部を利用して積み重ねた時の部分拡大断面図である。
【図８】図７の３−３線に沿ってみた断面図である。
【図９】各台枠間に立設固定される支柱の一部破断正面図（イ）及び一部破断側面図（ロ）である。
【図１０】同支柱の拡大平面図（イ）及び底面図（ロ）である。
【図１１】一つの台枠の連結部の上下に各支柱をそれぞれ固定したときの部分拡大断面図である。
【符号の説明】
１００    組立収納ケース
１０    台枠
２０    連結部
２１    段部
２２    嵌合部
２３    被嵌合部
２４    弾性片
２４ａ  スリットまたは薄肉部分
２５    係合爪
２６    係合穴
２７    ストッパ
２８    収納凹所
３０    支柱
３１    段部
３２    嵌合部
３３    被嵌合部
３４    弾性片
３４ａ  スリットまたは薄肉部分
３５    係合爪
３６    係合穴
４０    収納箱
【図１】
0003554843.tif 000002
【図２】
0003554843.tif 000003
【図３】
0003554843.tif 000004
【図４】
0003554843.tif 000005
【図５】
0003554843.tif 000006
【図６】
0003554843.tif 000007
【図７】
0003554843.tif 000008
【図８】
0003554843.tif 000009
【図９】
0003554843.tif 000010
【図１０】
0003554843.tif 000011
【図１１】
0003554843.tif 000012